(57)【要約】【課題】検査者が行う通行者の検査を支援する。【解決手段】検査時間決定部４４において、ランダムに発生されたタイミング情報に基づき通行者の検査時間をランダムに決定する。検査者決定部４６において、予め登録された複数の人員の中から検査を行う検査者をランダムに選択して決定する。そして、通信制御部５０が検査者が所持する通信端末に検査時間を通知する検査指示信号を送信する。【選択図】図２
2014106548.tif 000002
【特許請求の範囲】
【請求項１】
検査者が行う通行者の検査を支援する検査支援システムであって、
ランダムに発生されたタイミング情報に基づき通行者の検査時間をランダムに決定する検査時間決定部と、
予め登録された複数の人員とその通信端末とを対応付けた登録情報とを記憶する記憶部と、
前記人員の中から検査を行う検査者をランダムに選択して決定する検査者決定部と、
前記検査者に前記検査時間を通知する通知信号を送信する送信制御部と、
を備えたことを特徴とする検査支援システム。
【請求項２】
前記記憶部は、前記複数の人員についての業務スケジュールをさらに記憶し、
前記検査者決定部は、前記記憶部を参照し、前記検査時間決定部にて決定された検査時間に特定の業務状態である人員を検査者候補として決定し、該検査者候補の中から前記検査者をランダムに決定する、請求項１に記載の検査支援システム。
【請求項３】
前記通行者の中から検査の対象となる被検査対象者をランダムに選出する被検査対象者決定部と、
前記被検査対象者決定部が決定した前記被検査対象者を少なくとも前記検査者が識別可能に表示する表示部と、
をさらに備える請求項１または２に記載した検査支援システム。
【請求項４】
検査者が行う通行者の検査を支援する検査支援方法であって、
ランダムに発生されたタイミング情報に基づき通行者の検査時間をランダムに決定し、  予め登録された複数の人員の中から検査を行う検査者をランダムに選択して決定し、
前記検査者の通信端末に前記検査時間を通知する通知信号を送信する、
ことを特徴とする検査支援方法。
【請求項５】
検査者が行う通行者の検査を支援するコンピュータに格納される検査支援プログラムであって、
前記プログラムは、前記コンピュータに、
ランダムに発生されたタイミング情報に基づき通行者の検査時間をランダムに決定する検査時間決定処理と、
予め登録された複数の人員とその通信端末とを対応付けた登録情報とを記憶する記憶処理と、
前記人員の中から検査を行う検査者をランダムに選択して決定する検査者決定処理と、
前記検査者に前記検査時間を通知する通知信号を送信する送信制御処理と、
を実行させることを特徴とする検査支援プログラム。
【発明の詳細な説明】
【技術分野】
【０００１】
本発明は、検査者による通行者の検査に対する支援に関する。
【背景技術】
【０００２】
従来より、各種施設等の特定の管理区域の入口などにおいて、携帯品や、手荷物などの所持品検査が行われている。この所持品検査は、例えば、通行者に手荷物の内部などを提示させ、検査者が危険物等を携行がないかを検査することで行われる。なお、施設によっては、Ｘ線透視を利用した所持品検査なども行われている。
【０００３】
例えば特許文献１には、検査官が手荷物の位置をずらしながら手荷物内で不審なものの存在の有無を確認することが記載されている。
【先行技術文献】
【特許文献】
【０００４】
【特許文献１】特開平１０−１００５７号公報
【発明の概要】
【発明が解決しようとする課題】
【０００５】
ここで、所持品検査を全ての通行者に対し実施するには、多大な労力を要する。例えば、施設内で勤務する者全員に対し、勤務時間帯に亘り入口で常時所持品検査を行うことは非効率的である。このため、検査を抜き打ち的に行うことが考えられる。この場合、無作為に検査タイミングを決定し、不定期に所持品検査を実行することが望ましい。
【０００６】
しかしながら、そのように検査のタイミングを不定期にしたとしても、所持品検査を人手で行う場合には、その検査を行う検査者のスキルや、意思が検査結果に反映され得る。例えば、検査を受ける利用者から検査を担当する検査者が予め把握されてしまうと、利用者と検査者とで事前に共謀などが行われて不正がなされる可能性もある。
【０００７】
そこで、本発明では、検査を行う検査者を事前に把握することを困難として検査における不正を防止可能とした検査支援システムを提供する。
【課題を解決するための手段】
【０００８】
上記課題を解決するために、本発明は、検査者が行う通行者の検査を支援する検査支援システムであって、ランダムに発生されたタイミング情報に基づき通行者の検査時間をランダムに決定する検査時間決定部と、予め登録された複数の人員とその通信端末とを対応付けた登録情報とを記憶する記憶部と、前記人員の中から検査を行う検査者をランダムに選択して決定する検査者決定部と、記検査者に前記検査時間を通知する通知信号を送信する送信制御部と、を備えたことを特徴としている。
また、前記記憶部は、前記複数の人員についての業務スケジュールをさらに記憶し、前記検査者決定部は、前記記憶部を参照し、前記検査時間決定部にて決定された検査時間に特定の業務状態である人員を検査者候補として決定し、該検査者候補の中から前記検査者をランダムに決定するようにしてもよい。
さらに、前記通行者の中から検査の対象となる被検査対象者をランダムに選出する被検査対象者決定部と、前記被検査対象者決定部が決定した前記被検査対象者を少なくとも前記検査者が識別可能に表示する表示部と、をさらに備えてもよい。
また、本発明は、検査者が行う通行者の検査を支援する検査支援方法であって、ランダムに発生されたタイミング情報に基づき通行者の検査時間をランダムに決定し、予め登録された複数の人員の中から検査を行う検査者をランダムに選択して決定し、前記検査者の通信端末に前記検査時間を通知する通知信号を送信することを特徴としている。
さらに、本発明は、検査者が行う通行者の検査を支援するコンピュータに格納される検査支援プログラムであって、前記プログラムは、前記コンピュータに、ランダムに発生されたタイミング情報に基づき通行者の検査時間をランダムに決定する検査時間決定処理と、予め登録された複数の人員とその通信端末とを対応付けた登録情報とを記憶する記憶処理と、前記人員の中から検査を行う検査者をランダムに選択して決定する検査者決定処理と、記検査者に前記検査時間を通知する通知信号を送信する送信制御処理と、を実行させることを特徴としている。
【発明の効果】
【０００９】
本発明によれば、検査を行う検査者をランダムに選定するために、被検査対象者に誰が検査担当者であるか事前に把握することを困難として、共謀などの不正を防止することができる。また、本発明によれば、検査者を選定する際に検査に対応可能な所定の業務ステータスである者を検査者候補とすることで、通常業務に支障をきたすことなく、適切に検査を行うことが可能となる。
【図面の簡単な説明】
【００１０】
【図１】所持品検査が行われる場所についてのイメージを示す図である。
【図２】監視センタの構成を示す図である。
【図３】公用携帯の構成を示す図である。
【図４】ゲート装置の構成を示す図である。
【図５】検査支援システムの動作シーケンスを示す図である。
【発明を実施するための形態】
【００１１】
以下、本発明の実施形態について、図面に基づいて説明する。
【００１２】
図１には、所持品検査が行われる場所についてのイメージが描かれている。ビル１０は、その内部が管理区域１２であり、この管理区域１２については各種のものを持ち込み禁止にしている。例えば、管理区域１２内への危険物の持ち込みや、勤務するうえで必要の無い物の持ち込み、さらに、重要書類の機密情報をまもる為にデジタルカメラなどの撮影用機器などの持ち込みを禁止する場合がある。
【００１３】
所持品検査は、或る設定された時間帯に、管理区域１２の入口となるゲート１４の付近でゲート１４の近くにいる警備員２０などによって行われる。所持品検査では、ゲート１４の通行者２２に対し、ランダムに被検査対象者が決定され、この対象者がゲートを通行したときに、図４に示すゲート装置８０の表示部８１に被検査対象者である旨が表示される。そして、警備員２０は被検査対象者にテーブルの上に所持品を出してもらい所持品検査を行う。検査には、金属探知機などを利用する場合もある。また、所持品検査の際には、通行者２２の本人情報の確認なども行われる。
【００１４】
ここで、コンピュータや各種監視機器からの映像を映し出すディスプレイなどを有する監視センタ３０がビル１０内または外部に設けられており、管理区域１２の状況の確認の他、各警備員２０の勤務スケジュール、勤務状況（ステータス）などを管理している。また、各種の異常通報などは、監視センタ３０に供給され、監視センタ３０が、対応可能な警備員２０に連絡して対処させる。また、異常対処後のレポートを含め、各警備員の勤務のレポートについても監視センタ３０が管理するとよい。厳密には、監視センタに備えられたセンタ装置がサーバとして機能して各種の情報を管理するのであるが、本実施形態では簡単化のためこれを監視センタ３０として説明する。また、本実施形態では、監視センタ３０とゲート装置８０を別の装置として説明するが、これに限定されず、監視センタ３０とゲート装置８０を同一のコンピュータにて構成してもよい。
【００１５】
各警備員２０は、通常、会社貸与の携帯電話など通信装置（以下、公用携帯と呼ぶ）を所持しており、この公用携帯は監視センタ３０と、通信ネットワーク３２を介し接続される。通信装置として、通常は、公衆電話回線を利用する、携帯電話機が使用されるが、トランシーバや、ＷｉＦｉ通信機器等でもかまわない。
【００１６】
そして、本実施形態では、所持品検査の開始時間（検査タイミング）をランダムに発生させて決定し、これを担当する警備員２０の通信装置に通知する。また、検査を担当する警備員２０も、対応可能な所定のステータスである者のなかからランダムに決定する。以下、かかる機能を実現するための構成について説明する。
【００１７】
＜監視センタ３０の構成＞
監視センタ３０の構成例について図２に示す。監視センタ３０は、コンピュータを含み、このコンピュータは、ＣＰＵ等の演算手段、ＲＯＭ、ＲＡＭ等の内部記憶手段、ハードディスク、不揮発性メモリなどの外部記憶手段、キーボード等の入力手段、ディスプレイ、プリンタなどの出力手段を有すると共に、外部との送受信を行う通信制御部４０を有している。この通信制御部４０は、図１における通信ネットワーク３２に接続されると共に、インターネットやイントラネットに接続され、これらを介する通信を可能とする。なお、通信制御部４０は送信制御部として機能する。
【００１８】
そして、記憶部５２に記憶される各種アプリケーションプログラムの中の検査支援プログラムを実行することによって、検査支援のための処理を実行する。
【００１９】
監視センタ３０は、乱数発生部４２を有し、ここにおいて乱数を発生する。乱数発生部４２は、物理乱数発生部であってもよいし、比較的簡易な数式などを利用して乱数を発生するものでもよい。また、外部からの信号によって乱数を発生しても、外部からの乱数を取り入れて出力するものでもよい。すなわち、外部からみてランダムな値を発生できればどのような構成でもよい。
【００２０】
乱数発生部４２において発生された乱数は、検査時間決定部４４に供給される。検査時間決定部４４は、供給される乱数に従って、検査時間（検査開始時間）を決定する。例えば、検査開始時間は、一日の中で入場者が訪れる期間を１５分おきなどの予め定められた複数の時間帯に区切り、供給された乱数を用いてその中の１つを選択することで決定される。検査を継続する時間は、通行者の数などの検査状況に応じて検査者が適宜決定してもよいし、予め、数分、１５分、３０分などの時間と定めておいてもよい。さらに、検査する人数を限定してもよい。
【００２１】
検査時間決定部４４は、例えば、１つの検査場所（ゲート）について、検査時間を決定する。検査頻度は、１日数回（例えば３回）、１週間に数回（例えば３回）、１月に数回（例えば３回）などを予め記憶部５２に記憶しておき、その中から、発生乱数を３で除算した余りに応じて、１つを選択することなどで決定することができる。そして、ゲート１４を通行可能な時間範囲の中で、乱数を用いて検査を開始する時間を決定する。
【００２２】
例えば、１日３回が選択された場合、１日の中でゲート１４を通行可能な時間を複数の時間帯に区切り、１回目の検査をする時間をこの複数の分割時間の中から特定する。そして、順次次の検査時間として、この分割時間の中の１つを選択することで、１日の中の各検査開始時間が決定できる。１週間に３回、１ヶ月に３回など検査の頻度を異ならせた場合も、同様の手法で、検査開始時間を決定することができる。
【００２３】
もちろん、３回は一例であり、１回でも、２回でも、４回以上でもよい。また、ランダムな選択は、無作為の選択であれば、どのような手法を利用してもよい。
【００２４】
さらに、検査場所に応じて、検査頻度を予め決定したり、検査場所において被検査対象者が通行する例えば出勤時間を考慮して、出勤時間のみを対象としてもよい。このような、検査時間についての条件などを示す信号は、予め管理者によって入力され記憶部５２に記憶される。
【００２５】
なお、所定の期間の間に行われる複数の検査時間を予め発生させて記憶しておいてもよいが、次回の検査時間を常に１回だけ発生させて記憶するようにしてもよい。この場合、現在の時間に対し、検査を開始するために必要な準備時間だけ猶予を鑑みた時間を検査時間として発生させることが好ましい。換言すれば、検査時間決定部４４は、現在時刻について所定の準備時間以上未来の時間を検査開始時間として決定する。
【００２６】
また、乱数発生部４２からの乱数は検査者決定部４６にも供給され、検査者決定部４６は、検査時間決定部４４において決定された検査開始時間を知らせる警備員を、複数の検査者候補の中からランダムに選択して決定する。
【００２７】
検査時間決定部４４において決定された検査時間と、検査者決定部４６で決定された検査者の情報が信号生成部４８に供給され、ここで検査者に送信する検査指示信号が作成される。
【００２８】
このようにして作成された検査指示信号は、通信制御部４０に送られ、ここから電子メールとして送信される。検査指示信号の内容は暗号化されていることが好ましい。通常は、公衆電話回線を通じて、公用携帯に送信される。ここで検査指示信号は、検査時間決定部４４において決定された検査開始時間に対して所定の準備時間前に送信される。例えば、次回の検査開始時間が午前８時４５分であれば、準備時間として１５分の猶予を設定し、通信制御部４０から検査を行う警備員の公用携帯に午前８時３０分に検査開始時間が８時４５分であるとの検査指示信号が送信されることとなる。
【００２９】
また、検査の実施が決定された場合、即ち検査指示信号が公用携帯に送信された場合、信号生成部４８は乱数発生部４２によりゲート通行者の中から被検査対象者を決定するための少なくとも１桁の数字を含む乱数を複数個発生させて被検査対象者信号として通信制御部４０からゲート装置８０に送信する。
【００３０】
＜警備員の選択＞
ここで、本実施形態において、監視センタ３０においては、複数の管理区域１２、複数のゲート１４、複数の警備員２０の管理を行う。そこで、検査場所の住所、ゲート１４の位置、警備員２０を特定するデータ、警備員２０の所持する公用携帯のアドレスなど監視に必要な各種のデータを記憶部５２に記憶している。
特に、本実施形態における所持品検査の場合、特定の時間を定めて、警備員２０を対象となるゲート１４に派遣する必要がある。そこで、記憶部５２には、各警備員２０の業務のスケジュールを記憶している。
【００３１】
各警備員については、例えば１月単位で基本的な勤務計画（シフト）が定められており、これが業務のスケジュールとして記憶されている。勤務を行う場合の個別の勤務状況（ステータス）としては、「巡回（対象区域を巡回して各種点検などを行う）」、「立哨（しょう）（一定の場所に立って警備に当たる）」、「待機（警備本部等において、事務作業を行う）」などがある。また、ステータスには、異常発生時に出動して緊急対処を行う「異常対処」もあるが、この異常対処には、待機中の警備員２０が対応するのが一般的である。さらに、記憶部５２には、各警備員２０について、何時〜何時はどのステータスを行うなどの勤務計画のタイムテーブルが記憶されている。なお、警備員２０の勤務計画に変更が生じた場合、速やかに承認された変更計画が記憶部５２に記憶される。したがって、記憶される勤務計画は常に最新のものである。
【００３２】
また、監視センタ３０では、各警備員２０の出退勤についてタイムレコーダなどからのデータを利用して記録し、またシフト通りの勤務を行っているかなど、現時点でのステータス、所在位置などについても適宜把握している。現時点でのステータスは、記憶部５２に記憶された業務のスケジュールから判定してよく、またこれに限らず、警備員２０が自身のステータスが変るたびに公用携帯にステータスを入力し、これが監視センタ３０に送信されて記憶されてもよい。
【００３３】
警備員２０は、出勤時に公用携帯の貸与を受け、これを自己のIDと対応させて監視センタ３０に登録する。この登録は、備え付けの入力端末を利用して監視センタ３０と通信して行えば良い。例えば、警備員２０のＩＤカード、公用携帯と、備え付けの入力端末の間の無線通信などで行われても良い。これによって、警備員２０とその警備員２０が所持する公用携帯の関連づけが行われ、この内容について監視センタ３０の記憶部５２に、当該警備員２０のデータとして記憶される。なお、公用携帯には、例えばＧＰＳなど位置検出機能があり、これに基づいて監視センタ３０に現在位置を適宜送信することで警備員２０（公用携帯）の位置が常に監視センタ３０において認識されている。なお、ＧＰＳではなく、基地局側で公用携帯の電波発信位置を特定して、これに基づき監視センタ３０が公用携帯の位置を把握してもよい。
【００３４】
本実施形態における所持品検査は、その検査時間がランダムに決定されるため、予め決定した勤務計画には入っていない。そこで、監視センタ３０の検査者決定部４６では、検査開始時刻の所定時間前において、発生された検査時間（開始時間）と、その検査時間における警備員２０のステータス、現在位置を考慮して、特定のゲート１４の所持品検査を担当する警備員２０を特定し、信号生成部４８よりその警備員２０に検査指示信号を送信する。
【００３５】
具体的には、検査者決定部４６は、決定された検査時間にステータスが「待機」または「巡回」と予定されており、尚且つ現在位置とゲート１４との距離が所定距離以内となる警備員２０を検査者候補として抽出する。
【００３６】
検査者決定部４６は、ステータスおよび現在位置に基づいて所持品検査を担当可能な検査者候補が多数抽出されると、乱数発生部４２による乱数を用いて、抽出した検査者候補の中から予め設定された必要人数となる１又は複数の検査者をランダムに選択する。ランダムな選択については、上述したような手法が採用できる。この選択された検査者が所持品検査を行う警備員２０となる。
【００３７】
このように、所持品検査を行う警備員（検査者）は監視センタ３０の検査者決定部４６が記憶部６４に記憶されているデータなどを参照して決定する。
【００３８】
＜公用携帯の構成＞
図３は、公用携帯の構成を示している。通信制御部６０は、アンテナなどを利用して、外部との無線通信を行う。処理部６２は、メール送受信、通話などの各種制御を行う。処理部６２には、メール処理部６２ａが設けられ、メール処理部６２ａにおいて電子メールの送受信処理が行われる。電子メールの送受信には、ＳＭＳ（Short Message Service）などのショートメールやチャットも含まれてよい。処理部６２には、記憶部６４が接続されており、ここに各種のデータや、アプリケーションが記憶される。処理部６２には、ディスプレイ６６が接続されており、上述したメールの内容がここに表示される。入力部６８は、各種データを入力するためのものであり、必要な場合パスワード入力などが行われる。
【００３９】
＜ゲート装置の構成＞
ゲート装置８０は、管理区域１２の入口となるゲート１４に設けられた通行管理装置である。図４に示すように、ゲート装置８０は、ＬＥＤやＬＣＤで構成されて通行者が所持品検査の対象者であるか否かを周囲に報知する表示部８１と、ゲート１４の通行者をカウントする計数部８２と、予め記憶した通行許可情報を用いて通行者を認証する認証部８３と、通信ネットワーク３２を介して外部と通信を行う通信制御部８４と、処理部８５と、操作スイッチなどの操作部８６を備える。
【００４０】
計数部８２は、ゲート１４を通行者２２が通行する毎に通行者２２の数を計数する手段である。計数部８２は、例えば、通行者２２の進行方向と直行する方向に赤外線を投受光してその赤外線が遮断した数から通行者２２を計数してよく、これに限らず一人だけ通行できるスペースが設けられた回転式のゲート遮断部材を通行者２２が押し退けて通行するような機械式の通行者計数手段であってもよい。
【００４１】
認証部８３は、予めゲート装置８０について登録された通行者２２の識別情報を通行時に照合して通行可否を認証する手段である。通行が許可されない場合はゲートの遮断やアラーム出力などが行われる。通行者２２の識別情報は例えばＩＤカードであり、この場合に認証部８３はカード読取手段と登録された識別情報の記憶手段と照合手段とを備えて構成される。またこれに限らず、通行者２２の識別情報として顔画像などの生体情報を利用してよく、この場合にはカメラなど生体情報取得手段と登録された識別情報の記憶手段と照合手段とを備えて認証部８３が構成される。
【００４２】
表示部８１は、ゲートの通行者２２に対して所持品検査を行うか否かを判定してその結果を表示する手段である。表示部８１の表示は、通行者２２の何れが所持品検査の対象となる被検査対象者であるかを、少なくとも検査者である警備員２０が識別可能となるように表示される。図１では、表示部８１がゲート１４の直上にあるランプとして示されており、この場合にはゲート１４を通った通行者２２が被検査対象者と判定されるとランプが点灯するよう構成される。表示部８１の表示は警備員２０だけでなく警備員２０及び通行者２２の双方から把握可能であってよい。
【００４３】
本実施形態において、ゲート装置８０は、監視センタ３０から被検査対象者信号として複数個の乱数データを受信して記憶している。ゲート装置８０の処理部８５は、警備員２０により操作部８６が操作されると所持品検査の開始を判定して、通行者２２の計数を開始し、この計数結果が被検査対象者信号として受信した乱数に合致したときに表示部８１に当該通行者２２が所持品検査の対象者（被検査対象者）であることを表示する。警備員２０は、この表示を参照して選出された通行者２２（被検査対象者）の所持品を点検する。このように、ゲート装置８０の処理部８５は、通行者２２の中から所持品検査の対象となる被検査対象者を乱数に基づきランダムに選出する。従って、ゲート装置８０の処理部８５が被検査対象者決定部として機能する。
また、警備員２０により再度操作部８６が操作されると所持品検査の終了を判定して表示部８１と計数部８２の処理を終了する。
【００４４】
なお、本実施形態ではゲート装置８０が監視センタ３０から被検査対象者信号として複数個の乱数データを受信する例について説明したが、これに限らずゲート装置８０に乱数発生部を備えて、所持品検査が開始された後に通行者２２がゲート１４を通行する毎に当該通行者２２の所持品検査を行うか否かランダムに判定するようにしてもよい。
【００４５】
＜実施形態の動作＞
以上に説明した本実施形態の検査支援システムについて、図５を用いながらその動作について説明する。図５は、本実施形態の検査支援システムの動作シーケンスを示す図である。
【００４６】
監視センタ３０では、乱数発生部４２が順次新たな乱数を発生させている（Ｓ１）。検査時間決定部４４は、１日のなかでゲート１４を通行可能な時間帯を所定の時間単位（例えば１５分）ごとに分割して、この分割時間の中から上述した乱数を用いて所持品検査を行う時間帯を決定し、検査開始時間を決定する（Ｓ２）。
【００４７】
また、検査者決定部４６は、検査開始の所定時間前になると、予め記憶している警備員２０の業務のスケジュール及び現在のステータスからその検査時間における警備員２０のステータスを判別し、検査時間におけるステータスと現在の位置情報から検査者として対応可能な検査者候補を抽出する（Ｓ３）。本実施形態では、検査時間にステータスが「待機」または「巡回」と予定されており、また現在位置とゲート１４との距離が所定距離以内となる警備員２０を検査者候補として抽出する。なお、検車者候補を抽出する際、例えば当日の勤務時間の立哨時間の延べ時間数を考慮してもよい。つまり、立哨時間の延べ時間数の少ない警備員２０を優先して抽出するようにしてもよい。
【００４８】
そして、検査者決定部４６は、乱数発生部４２の乱数を用いて（Ｓ４）、検査者候補の中から所持品検査を行う検査者を必要人数だけ特定する（Ｓ５）。信号生成部４８は、特定された警備員２０の公用携帯を送信先として、検査開始時間及び検査場所となるゲートを指示する検査指示信号を生成する（Ｓ６）。このようにして作成された検査指示信号は、通信制御部４０に送られる。
【００４９】
監視センタ３０は、このように、検査開始時間と、検査を行う警備員とをランダムに決定して記憶している。また、検査を行う検査者は業務に支障をきたさない特定ステータスの警備員から選出される。
【００５０】
検査時間決定部４４が決定した検査開始時間から所定の準備時間（例えば１５分）前になると（Ｓ７）、通信制御部４０は、信号生成部４８により特定の警備員２０の公用携帯を送信先として生成されていた検査指示信号を通信ネットワークを介して送信する（Ｓ８）。検査指示信号を受信した公用携帯では、検査指示信号が復号化されて内容が表示される（Ｓ９）。そして、この公用携帯を所持する警備員２０は、表示された情報を参照して検査開始時間にゲート１４まで移動する。
【００５１】
このとき、信号生成部４８は乱数発生部４２により少なくとも１桁の数字を含む乱数を複数個発生させて（Ｓ１０）、被検査対象者信号として通信制御部４０からゲート装置８０に送信する（Ｓ１１）。ゲート装置８０は被検査対象者信号を記憶する（Ｓ１２）。そして、検査開始時間となり所持品検査を行うべくゲート１４まで来た警備員２０によりゲート装置８０の操作部８６が操作されると、計数部８２が通行者２２のカウントを開始する（Ｓ１３）。通行者２２のカウントが被検査対象者信号として受信した乱数と合致していれば、表示部８１に所持品検査の対象者であることが表示され（Ｓ１４）、当該通行者２２について警備員２０による検査が行われる。
【００５２】
時間が経過して予め設定された所持品検査の検査時間が終了すると、警備員により再度ゲート装置８０の操作部８６が操作され、表示部８１と計数部８２の処理が終了する（Ｓ１５）。
【００５３】
＜実施形態の効果＞
監視センタ３０は、このように、検査開始時間と、検査を行う警備員とをランダムに選定するために、いつ検査が行われるのか、誰が検査を担当するのかを事前に把握困難として共謀などの不正を防止することができる。また、検査者を選定する際に検査に対応可能な所定の業務ステータスである者を検査者候補とすることで、通常業務に支障をきたすことなく、適切に検査を行うことが可能となる。さらに、通行者の全てを検査の対象とするのではなく、その中から無作為に抽出した被検査対象者について検査を行うことで、所持品検査による抑制効果を維持しつつ効率化を図ることが可能となる。
【符号の説明】
【００５４】
１０  ビル、１２  管理区域、１４  ゲート、２０  警備員、２２  通行者、３０  監視センタ、３２  通信ネットワーク、４０  通信制御部、４２  乱数発生部、４４  検査時間決定部、４６  検査者決定部、４８  信号生成部、５０  通信制御部、５２  記憶部、６０  通信制御部、６２  処理部、６２ａ  メール処理部、６４  記憶部、６６  ディスプレイ、６８  入力部、８０  ゲート装置、８１  表示部  ８２  計数部、８３  認証部、８４  通信制御部、８５  処理部、８６  操作部。
【図１】
2014106548.tif 000003
【図２】
2014106548.tif 000004
【図３】
2014106548.tif 000005
【図４】
2014106548.tif 000006
【図５】
2014106548.tif 000007